(57)【要約】【課題】仕事、ジョギングや運動の耐力を増加可能であり、運動の持続可能な時間、又はジョギングの速度及び距離を大幅に増加可能な頭部装着型酸素供給装置を提供する。【解決手段】使捨て式または気体充填可能式を採用し、高圧である酸素瓶と、その外周面に挟みスリーブが設けられており、挟みスリーブに酸素瓶を組付け可能である頭部装着ユニットと、継ぎ手と、カテーテルと、一つ以上の貫通孔を有する嵌合チューブと、から構成され、継ぎ手は酸素瓶に接続されており、カテーテルは継ぎ手に接続されており、カテーテルの端部に嵌合チューブが組み付けられている気体供給ユニットと、を含む。【選択図】図１
0003206944.tif 000002
【実用新案登録請求の範囲】
【請求項１】
使捨て式または気体充填可能式を採用し、高圧である酸素瓶と、
その外周面に挟みスリーブが設けられており、前記挟みスリーブに前記酸素瓶を組付け可能である頭部装着ユニットと、
継ぎ手と、カテーテルと、一つ以上の貫通孔を有する嵌合チューブと、から構成され、前記継ぎ手は前記酸素瓶に接続されており、前記カテーテルは前記継ぎ手に接続されており、前記カテーテルの端部に前記嵌合チューブが組み付けられている気体供給ユニットと、
を含むことを特徴とする頭部装着型酸素供給装置。
【請求項２】
前記挟みスリーブは、ほぼＣ字形を呈することを特徴とする、請求項１に記載の頭部装着型酸素供給装置。
【請求項３】
前記頭部装着ユニットは、緊迫度を調整可能な括りバンドであることを特徴とする、請求項１に記載の頭部装着型酸素供給装置。
【請求項４】
前記括りバンドの両端には、面ファスナーがそれぞれ設けられていることを特徴とする、請求項３に記載の頭部装着型酸素供給装置。
【請求項５】
前記頭部装着ユニットは帽子であることを特徴とする、請求項１に記載の頭部装着型酸素供給装置。
【請求項６】
更に、減圧弁を含み、前記減圧弁は前記継ぎ手の内部に組み付けられていることを特徴とする、請求項１に記載の頭部装着型酸素供給装置。
【請求項７】
更に、開閉スイッチを含み、前記開閉スイッチは前記継ぎ手の内部に組み付けられていることを特徴とする、請求項１に記載の頭部装着型酸素供給装置。
【請求項８】
前記カテーテルは、フレキシビリティを有するチューブであることを特徴とする、請求項１に記載の頭部装着型酸素供給装置。
【請求項９】
前記頭部装着ユニットは、弾性を有する括りバンドであることを特徴とする、請求項１に記載の頭部装着型酸素供給装置。
【考案の詳細な説明】
【技術分野】
【０００１】
本考案は、頭部装着型酸素供給装置に関し、特に、ユーザの頭部に装着可能であり、酸素を供給する頭部装着型酸素供給装置に関するものである。
【背景技術】
【０００２】
仕事をやり、又はジョギングするときには、人間が鼻で呼吸することが一般的である。呼吸が運動のリズムと協調する場合には、運動をしている人間に酸素を十分に供給可能である。仕事量を増え、又は運動及びジョギングの強度を増加する場合には、酸素の必要量を増えなければいけないため、口と鼻とにより、呼吸をすることが必要になる。運動やジョギングをしているときに、呼吸が荒くなる原因は、呼気が不十分であり、二酸化炭素の排出が不十分であるため、二酸化炭素が肺胞を占め、酸素の吸い込みが制限される。
【０００３】
しかし、仕事をやり、又は運動するときに、筋肉は大量の酸素の供給を必要するため、酸素の供給量が不足であると、筋肉のエネルギーが低下する。このため、仕事の効率が低下し、ジョギングの速度及び距離を増加できない。
【考案の概要】
【考案が解決しようとする課題】
【０００４】
本考案の主な目的は、仕事、ジョギングや運動の耐力を増加可能であり、運動の持続可能な時間、又はジョギングの速度及び距離を大幅に増加可能な頭部装着型酸素供給装置を提供することにある。
【課題を解決するための手段】
【０００５】
本考案の頭部装着型酸素供給装置によると、使捨て式または気体充填可能式を採用し、高圧である酸素瓶と、
その外周面に挟みスリーブが設けられており、挟みスリーブに酸素瓶を組付け可能である頭部装着ユニットと、
継ぎ手と、カテーテルと、一つ以上の貫通孔を有する嵌合チューブと、から構成され、継ぎ手は酸素瓶に接続されており、カテーテルは継ぎ手に接続されており、カテーテルの端部に嵌合チューブが組み付けられている気体供給ユニットと、
を含むことを特徴とする。
【０００６】
本考案の頭部装着型酸素供給装置によると、挟みスリーブは、ほぼＣ字形を呈することを特徴とする。
【０００７】
本考案の頭部装着型酸素供給装置によると、頭部装着ユニットは、緊迫度を調整可能な括りバンドであることを特徴とする。
【０００８】
本考案の頭部装着型酸素供給装置によると、括りバンドの両端には、面ファスナーがそれぞれ設けられていることを特徴とする。
【０００９】
本考案の頭部装着型酸素供給装置によると、頭部装着ユニットは帽子であることを特徴とする。
【００１０】
本考案の頭部装着型酸素供給装置によると、更に、減圧弁を含み、減圧弁は継ぎ手の内部に組み付けられていることを特徴とする。
【００１１】
本考案の頭部装着型酸素供給装置によると、更に、開閉スイッチを含み、開閉スイッチは継ぎ手の内部に組み付けられていることを特徴とする。
【００１２】
本考案の頭部装着型酸素供給装置によると、カテーテルは、フレキシビリティを有するチューブであることを特徴とする。
【００１３】
本考案の頭部装着型酸素供給装置によると、頭部装着ユニットは、弾性を有する括りバンドであることを特徴とする。
【考案の効果】
【００１４】
本考案の頭部装着型酸素供給装置によれば、仕事、ジョギングや運動の耐力を増加可能であり、運動の持続可能な時間、又はジョギングの速度及び距離を大幅に増加可能であるという効果を有する。
【図面の簡単な説明】
【００１５】
【図１】本考案の第１の実施形態に係る頭部装着型酸素供給装置の組合済み状態を示す斜視図である。
【図２】本考案の第１の実施形態に係る頭部装着型酸素供給装置を示す分解斜視図である。
【図３】本考案の第１の実施形態に係る頭部装着型酸素供給装置をユーザの頭部に装着された状態を示す斜視図である。
【図４】本考案の第１の実施形態に係る酸素瓶がクローズされた状態を示す斜視図である。
【図５】本考案の第１の実施形態に係る頭部装着型酸素供給装置の調整動作を示す図である。
【図６】本考案の第２の実施形態に係る頭部装着型酸素供給装置を示す分解斜視図である。
【図７】本考案の第３の実施形態に係る頭部装着型酸素供給装置を示す分解斜視図である。
【図８】本考案の第４の実施形態に係る頭部装着型酸素供給装置を示す分解斜視図である。
【考案を実施するための形態】
【００１６】
以下、本考案の実施の形態を図面に基づいて説明する。
【００１７】
図１から図６を参照する。本実施形態に係る頭部装着型酸素供給装置は、酸素瓶１０と、頭部装着ユニット２０と、気体供給ユニット３０と、を含む。
【００１８】
酸素瓶１０は、使捨て式または気体充填可能式を採用し、高圧である。
【００１９】
頭部装着ユニット２０は、その外周面に挟みスリーブ２１が一つ以上設けられている。挟みスリーブ２１に酸素瓶１０を組付け可能である。
【００２０】
気体供給ユニット３０は、継ぎ手３１と、カテーテル３２と、一つ以上の貫通孔３３１を有する嵌合チューブ３３と、から構成される。継ぎ手３１は酸素瓶１０に接続されている。カテーテル３２は継ぎ手３１に接続されている。カテーテル３２の端部に嵌合チューブ３３が組み付けられている。
【００２１】
挟みスリーブ２１は、ほぼＣ字形を呈する。
【００２２】
頭部装着ユニット２０は、緊迫度を調整可能な括りバンド２２である。
【００２３】
括りバンド２２の両端には、調整バンド２３がそれぞれ固定されている。本実施形態では、調整バンド２３が面ファスナーである。二つの調整バンド２３により、括りバンド２２の緊迫度を調整可能である。
【００２４】
頭部装着ユニット２０は帽子２４である。
【００２５】
更に、継ぎ手の内部に組み付けられている減圧弁（図示せず）を含む。
【００２６】
更に、継ぎ手の内部に組み付けられている開閉スイッチ（図示せず）を含む。カテーテル３２を旋回することにより、前記開閉スイッチを開閉可能である。
【００２７】
カテーテル３２は、フレキシビリティを有するチューブである。
【００２８】
上記のような構成によれば、図１から図６に示すように、ユーザの頭部に頭部装着ユニット２０を直接に装着可能である。ユーザの頭部に頭部装着ユニット２０を装着した後、図３に示すように、頭部装着ユニット２０の挟みスリーブ２１に気体供給ユニット３０の酸素瓶１０を組付けると、酸素瓶１０がユーザの頭部と同期に移動可能であり、管路がユーザの頭部と干渉しないため、本実施形態に係る頭部装着型酸素供給装置の利用は極めて便利である。
【００２９】
ユーザは、仕事をやり、又は運動するときに、疲れを感じ、又は呼吸が荒くなる場合には、気体供給ユニット３０のカテーテル３２を下方に旋回すると、図５に示すように、嵌合チューブ３３がユーザの鼻部に位置し、継ぎ手３１の内部に組み付けられている前記開閉スイッチ（図示せず）がオープンされて、酸素瓶１０内の酸素は、カテーテル３２を経由して嵌合チューブ３３に流れて、嵌合チューブ３３に設けられている貫通孔３３１を経由して、ユーザの鼻部に供給する。ユーザに十分な酸素量を供給可能なため、仕事、ジョギングや運動の耐力を増加可能であり、運動の持続可能な時間、又はジョギングの速度及び距離を大幅に増加可能である。そして本実施形態に係る頭部装着型酸素供給装置は、携帯しやすいため、利用が極めて便利である。
【００３０】
なお、酸素瓶１０からの酸素を使用しない場合には、図４に示すように、気体供給ユニット３０のカテーテル３２を上方に旋回すると、継ぎ手３１の内部に組み付けられている前記開閉スイッチ（図示せず）がクローズされて、酸素瓶１０からの酸素の供給が停止される。本実施形態に係る頭部装着型酸素供給装置は、使用方法が極めて簡単である。
【００３１】
図７を参照する。頭部装着ユニット２０は、図７に示すように、その外周面に挟みスリーブ２１が二つ設けられている。二つの挟みスリーブ２１のうちの一つに、予備の酸素瓶１０、又は使用された酸素瓶１０を挟み可能である。これにより、頭部装着ユニット２０の両側の重量をバランスすることが可能である。
【００３２】
図８を参照する。頭部装着ユニット２０は、図８に示すように、弾性を有する括りバンド２２である。ユーザは、括りバンド２２を引っ張って頭部に装着して利用可能である。このため、頭部装着ユニット２０の使用方法は極めて簡単である。
【産業上の利用可能性】
【００３３】
本考案は、酸素供給装置に適用することができる。
【符号の説明】
【００３４】
１０  酸素瓶
２０  頭部装着ユニット
２１  挟みスリーブ
２２  括りバンド
２３  調整バンド
２４  帽子
３０  気体供給ユニット
３１  継ぎ手
３２  カテーテル
３３  嵌合チューブ
３３１  貫通孔
【図１】
0003206944.tif 000003
【図２】
0003206944.tif 000004
【図３】
0003206944.tif 000005
【図４】
0003206944.tif 000006
【図５】
0003206944.tif 000007
【図６】
0003206944.tif 000008
【図７】
0003206944.tif 000009
【図８】
0003206944.tif 000010